(57)【要約】【課題】作業性が良好でゴムホースを確実に保護できるプロテクターを提案する。【解決手段】成型加工されたゴムホース1の外表面に装着するプロテクター2を、ゴムホース1の外表面を取り囲む保護壁2aと、この保護壁2aに一体的に設けられゴムホース1に弾性的な締め代をもって部分的に着脱可能に連係して該保護壁2aを固定支持する少なくとも１つの連係部2bとにて構成する。【選択図】図１
2008223940.tif 000002
【特許請求の範囲】
【請求項１】
成型加工されたゴムホースの外表面に装着するプロテクターであって、
ゴムホースの外表面を取り囲む保護壁と、この保護壁に一体的に設けられゴムホースに弾性的な締め代をもって部分的に着脱可能に連係して該保護壁を固定支持する少なくとも１つの連係部からなることを特徴とするゴムホース用プロテクター。
【請求項２】
前記連係部は、ゴムホースの断面形状と同一形状でかつ、該ゴムホースよりも−1〜＋1mmのサイズになる開孔を有する請求項1記載のゴムホース用プロテクター。
【発明の詳細な説明】
【技術分野】
【０００１】
本発明は、ゴムホースの外表面に装着されるプロテクターに関し、該プロテクターをゴムホースに対して簡便かつ確実に取り付けようとするものである。
【背景技術】
【０００２】
自動車のエンジンルーム内には、冷却水や燃料、オイル、空気等を送給する種々のゴムホースが配置されており、設置されている機器との接触を避けるため該ゴムホースは予め所望の形状（屈曲など）に成型加工さている場合が多い。
【０００３】
ところで、上記のようなゴムホースは、予め所望の形状に成型加工されていても他の機器との接触が避けられない場合があり、接触部位での磨耗や損傷あるいは温度による影響を受ける不具合があった。
【０００４】
このため、従来は接触が避けられない部位にゴムやスポンジ等からなるプロテクターが装着されている（例えば特許文献1参照）。
【特許文献１】特開平8-267599号公報
【０００５】
上記のプロテクターは、ゴムホースとは別個に成形、製造されており、プロテクターをゴムホースに装着に当たってはゴムホースの一端をプロテクターに形成した開口へと挿入し装着部位まで該ホースを引き込む手作業が必要であることから、この種のプロテクターはその装着に手間がかかるうえ、以下のような不具合が懸念されることがありその解決が求められていた。
【０００６】
1．プロテクターは、その形状がストレートであり、普通はゴムホースの直線部分に適用されているが、例えば、ゴムホースに予め付与された湾曲部等にプロテクターを適用する場合、プロテクターの剛性がゴムホースの剛性を上回ることもあってその形状を維持し得ない。
2．ゴムホースを挿入するプロテクターの開口はゴムホースの径（外径）よりも大きく設計されており、プロテクターの装着後にそのずれを防止するために耐熱性の接着剤等を用いて固定しているが、ゴムホースとプロテクターとの間には隙間が生じるのが避けられず、該隙間から水や油、その他の異物が混入、滞留し、これが原因となってゴムホースの外面層を劣化させ製品の性能を低下させてしまう。
3．プロテクターあるいはゴムホースが何らかの外力を受けてプロテクターの密着面が剥がれた場合に、該密着面でゴムホースの外面層を損傷させ製品の性能を低下させてしまう。
【発明の開示】
【発明が解決しようとする課題】
【０００７】
本発明の課題は、上述したような従来の不具合を解消できるゴムホース用プロテクターを提案するところにある。
【課題を解決するための手段】
【０００８】
本発明は、成型加工されたゴムホースの外表面に装着するプロテクターであって、
ゴムホースの外表面を取り囲む保護壁と、この保護壁に一体的に設けられゴムホースに弾性的な締め代をもって部分的に着脱可能に連係して該保護壁を固定支持する少なくとも１つの連係部からなることを特徴とするゴムホース用プロテクターである。
【０００９】
上記の構成になるプロテクターの連係部は、ゴムホースの断面形状と同一形状でかつ、該ゴムホースよりも−1〜＋1mmのサイズになる開孔を形成するのが好ましい。
【発明の効果】
【００１０】
プロテクターの本体部分をなす保護壁をゴムホースに固定保持する連係部にはゴムホースの外径と同等の径として弾性的な締め代をもたせてあるため、プロテクターを固定するための接着剤は不要で、装着作業の簡素化が可能となる。
【００１１】
また、プロテクターあるいはゴムホースに何らかの外力が作用してそれらが相互にずれることがあっても接着剤による密着面が存在しないので、その密着面でゴムホースの外面層を損傷させることがない。
【００１２】
プロテクターの連係部とゴムホースの外面層には隙間が存在しないため水や油、その他の異物が混入、滞留することがなく、異物等による製品の劣化は回避される。
【発明を実施するための最良の形態】
【００１３】
以下、図面を用いて本発明をより具体的に説明する。
図1は本発明にしたがうプロテクターの実施の形態を、２箇所の屈曲部を設けた成型ゴムホースに適用した例で示した図であり、図2は図1に示したプロテクターの断面を示した図である。
【００１４】
図における1はゴムホース、２はプロテクターである。プロテクター2はゴムホース1の外表面を領域Lにわたって取り囲む保護壁2aと、この保護壁2aに一体的に設けられ、該保護壁2aをゴムホース1に固定保持する2つの連係部2bからなる。
【００１５】
連係部2bはゴムホース1の断面形状と同一形状でかつ、該ゴムホース1よりも−1〜＋1mmのサイズになる開孔2b１  を有し、ゴムホース1に対して弾性的な締め代をもって部分的（接触長さL′）に接触する。
【００１６】
上記のプロテクター2はゴムホース1とは個別に成型加工されるゴム材料からなっており、該プロテクター2を手作業によってゴムホース1の所望位置に装着することによって製品（図1）となる。
【００１７】
保護壁2aの両端にそれぞれ連係部2bを配置しその内側に開孔2b１の径D１よりも大きな径D２を有する区画領域Mを形成する図示のような構造のプロテクター2は、ゴムホース1を所定の位置まで引き込む際に必要な力が小さなてすみ効率的な装着が可能となる。
【００１８】
連係部2bの開孔2b１のサイズ（径）D１はゴムホース1の外形d寸法よりも−1〜＋1mmとし接触長さL′を3〜10mm程度とすることにより装着作業性を阻害することなしにプロテクター2の確実な固定支持が可能となる。
【００１９】
区画領域Mを設けるに当たってはその中をゴムホース1が円滑に通過できるようにゴムホース1の径dよりも＋2〜＋5mm程度大きくする。
【００２０】
プロテクター2の材質としては、通常プロテクターとして使用されるゴム材料を適用することができ、EPDM（エチレン-プロピレン-ジエンゴム）やCR（クロロプレンゴム）等で構成するのが望ましいが、NBR（ニトリルゴム）やSBR（スチレン-ブタジエンゴム）等で構成してももちろんかまわない。
【００２１】
プロテクター2はゴム材料からなるので、ゴムホース1に装着するに当たっては開孔2b１は容易に拡張することが可能であるが、エアーを吹き付けたり水等の挿入助剤を使用することで装着作業がよりスムーズに行える。
【００２２】
図示したプロテクター2は連係部2bを2つ設けた例として示したが、プロテクター2の長さによっては該連係部2bを何れか一方に設けるものであってもよく、この点については適宜変更が可能である。
【産業上の利用可能性】
【００２３】
簡便に、しかも確実に取り付け可能なゴムホース用プロテクターが提供できる。
【図面の簡単な説明】
【００２４】
【図１】本発明に従うプロテクターの実施の形態を示した図である。
【図２】図1に示したプロテクターの断面を示した図である。
【符号の説明】
【００２５】
1  ゴムホース
2  プロテクター
2a  保護壁
2b  連係部
【図１】
2008223940.tif 000003
【図２】
2008223940.tif 000004